(57)【特許請求の範囲】
【請求項１】
ディスククランプ動作または再生ユニットシャーシのロック・ロック解除動作の少なくとも１つを行うカムが再生ユニットシャーシの両側に夫々摺動自在に配置され、前記カムの一方がそれに設けた第１のラックと駆動ギヤとの噛み合いにより送られ他方のカムを前記両側のカムがディスククランプ動作または再生ユニットシャーシのロック・ロック解除動作を行わない行程において前記両側のカムを一体に連結する連結部材または両側のカムに設けられた夫々のカム溝と係合するディスク送りローラ軸を回動自在に支持するローラレバーを介して送るディスク装置において、ディスク送りローラ軸の両側に固着された夫々の同期ギヤが前記カムの摺動により前記カムの夫々に設けた第２のラックと係脱するように配置されており、前記同期ギヤの双方が前記両側のカムがディスククランプ動作または再生ユニットシャーシのロック・ロック解除動作を行う行程において前記カムの夫々に固着された前記第２のラックと噛み合うことにより前記カムの同期をとることを特徴とするディスク装置。
【請求項２】
ディスク送りギヤの軸を前記カムの１つに設けたカム溝と係合させて前記カムの前記摺動により前記ディスク送りギヤの位置を移動させて前記ディスク送りギヤとディスク送りローラ軸に固着されたギヤとの噛み合いが外れた後に前記ディスク送りローラ軸に固着された前記同期ギヤと前記第２のラックとが噛み合うように構成された請求項１のディスク装置。
【請求項３】
ディスク送りローラ軸を前記カムに設けたカム溝と係合させて前記カムの前記摺動によりディスク送りローラ軸を保持するローラレバーを回動させてディスク送りギヤとディスク送りローラ軸に固着されたギヤとの噛み合いが外れた後に前記ディスク送りローラ軸に固着された前記同期ギヤと前記ラックとが噛み合うように構成された請求項１のディスク装置。
【発明の詳細な説明】
【０００１】
【発明の属する技術分野】
この発明はディスク装置に係わり、特に、ディスククランプ動作または再生ユニットシャーシのロック・ロック解除動作を行う左右両側のカムの同期手段に関する。
【０００２】
【従来の技術】
従来、光ディスクを回転させ光ピックアップの光軸を光ディスクの信号記録トラックに追従させて信号を記録再生するディスク装置では、振動による音とびを防止するために、光ディスクを回転させるディスクモータや光ピックアップを載置した再生ユニットシャーシをディスク記録・再生状態で浮動状態に支持させていた。
【０００３】
そして、再生ユニットシャーシを浮動状態や固定状態とするロック・ロック解除動作や光ディスクのクランプ動作はメインシャーシの左右両側に配置されたカムにより行われていた。これら左右両側のカムの同期機構の例を図５により説明する。
【０００４】
図に示すメインシャーシ１の両側には図示していない再生ユニットシャーシをロック・ロック解除し、また、光ディスクをディスクモータのターンテーブルにクランプする図示していないクランプ機構を駆動するための左側面カム３０および右側面カム３１が摺動自在に配置されている。
【０００５】
右側面カム３１に設けられたラック３１ｂはメインシャーシ１に配置された駆動機構の駆動ギヤ３２と噛み合っており、駆動ギヤ３２の回転により右側面カム３１は前後方向に送られる。
【０００６】
メインシャーシ１に回転自在に支持されたドライブシャフト３３の一端に固定された同期ギヤ３３ａは右側面カム３１に設けられたラック３１ａと噛み合いドライブシャフト３３の他端に固定された同期ギヤ３３ｂは左側面カム３０に設けられたラック３０ａと噛み合っており、ドライブシャフト３３の回転により左側面カム３０と右側面カム３１との同期がとられる。
【０００７】
従来のディスク装置の左右両側のカムの同期機構の他の例を図６に示す。図に示すメインシャーシ１の両側に配置された左側面カム２０および右側面カム２１は摺動自在に支持されている。
【０００８】
左側面カム２０に設けられたラック２０ｂはメインシャーシ１に配置された駆動機構の駆動ギヤ１５と噛み合っており、駆動ギヤ１５の回転により左側面カム２０は前後方向に送られる。
【０００９】
メインシャーシ１に設けられた軸１ａ、１ａに回動自在に支持されたローラレバー２はディスク送りローラ軸６を回転自在に支持している。ディスク送りローラ軸６にはディスク送りローラ７が嵌着されており、ディスク送りローラ７により光ディスクが筐体外と再生位置との間で送られる。
【００１０】
ディスク送りローラ軸６は左側面カム２０に設けられたカム溝２０ｃおよび右側面カム２１に設けられたカム溝２１ｂと係合しており、ローラレバー２は左側面カム２０の移動により回動され、ディスク送りローラ７が光ディスクと接離する。また、右側面カム２１はローラレバー２の回動により送られ左側面カム２０との同期がとられる。
【００１１】
従来のディスク装置の左右両側のカムの同期機構のさらに他の例を図７に示す。図に示すメインシャーシ１の両側に配置された左側面カム２０および右側面カム２１は摺動自在に支持されている。
【００１２】
メインシャーシ１に立設された軸１ｃに回動自在に支持された同期アーム３４はそれに設けられた部分ギヤ３４ａと噛み合う駆動ギヤ１５の回転により回動される。同期アーム３４の長穴３４ｃおよび３４ｂには夫々左側面カム２０の軸２０ｄおよび右側面カム２１の軸２１ｄが係合しており、左側面カム２０および右側面カム２１は同期しながら逆方向に移動する。
【００１３】
従来のディスク装置の左右両側のカムの同期機構のさらに他の例を図８に示す。図に示すメインシャーシ１の両側に配置された右側面カム３および左側面カム４は連結部５で一体とされており、メインシャーシ１に摺動自在に支持されている。
【００１４】
右側面カム３に設けられたラック３ｂは駆動ギヤ１５と噛み合っており、駆動ギヤ１５の回転により右側面カム３が送られ、右側面カム３と一体となっている左側面カム４も送られる。
【００１５】
図９に示す従来の例は図８に示すものと同様に連結部５で一体とされた右側面カム３および左側面カム４は連結部５に設けられたラック５ｂと噛み合う駆動ギヤ１５の回転により送られる。
【００１６】
【発明が解決しようとする課題】
上記した図５に示す従来の例では、左側面カム３０と右側面カム３１との同期をとるために専用のドライブシャフト３３をメインシャーシ１の全幅に渡って通さなければならず同期のための機構のスペースが大きくなり、装置が大型となると共に部品点数が多く製造コストも高くなるという問題があった。
【００１７】
図６に示す従来の例では、ローラレバー２の剛性により同期の精度が決まり、同期の精度をあまり高くとれないという問題があり、また、カムの移動ストロークを大きくできないという問題があった。特に、装置を薄型とするとローラレバー２も薄くなり剛性を高くできないという事情があった。
【００１８】
図７に示す従来の例では、同期アーム３４をメインシャーシ１の全幅に渡って通すため、図５に示したものと同様の問題があった。さらに、左側面カム２０と右側面カムを同じ方向に移動させることができないために設計上の自由度が制限されることがあった。
【００１９】
図８に示す従来の例では、連結部５で一体とされた右側面カム３および左側面カム４を偏った位置で駆動するために摺動支持部のガタや部材の塑性変形により左右の位相ずれが生じたり、駆動するための抵抗が大きくなるという問題があった。
【００２０】
図９に示す従来の例では、左右のバランスがとれた位置で駆動するので図８に示したもので生じる問題はないが、メインシャーシ１の中央部に駆動機構が配置されるために、他の部品の配置が制限されるという問題があった。
【００２１】
この発明は上記した点に鑑みてなされたものであって、その目的とするところは、部品点数や配置スペースが削減され、しかも精度の高い同期が取れる左右両側のカムの同期機構を提供することにある。
【００２２】
【課題を解決するための手段】
この発明のディスク装置は、ディスククランプ動作または再生ユニットシャーシのロック・ロック解除動作の少なくとも１つを行うカムが再生ユニットシャーシの両側に夫々摺動自在に配置され、前記カムの一方がそれに設けた第１のラックと駆動ギヤとの噛み合いにより送られ他方のカムを前記両側のカムがディスククランプ動作または再生ユニットシャーシのロック・ロック解除動作を行わない行程において前記両側のカムを一体に連結する連結部材または両側のカムに設けられた夫々のカム溝と係合するディスク送りローラ軸を回動自在に支持するローラレバーを介して送るディスク装置において、ディスク送りローラ軸の両側に固着された夫々の同期ギヤが前記カムの摺動により前記カムの夫々に設けた第２のラックと係脱するように配置されており、前記同期ギヤの双方が前記両側のカムがディスククランプ動作または再生ユニットシャーシのロック・ロック解除動作を行う行程において前記カムの夫々に固着された前記第２のラックと噛み合うことにより前記カムの同期をとるものである。
【００２３】
また、前記ディスク装置において、ディスク送りギヤの軸を前記カムの１つに設けたカム溝と係合させて前記カムの前記摺動により前記ディスク送りギヤの位置を移動させて前記ディスク送りギヤとディスク送りローラ軸に固着されたギヤとの噛み合いが外れた後に前記ディスク送りローラ軸に固着された前記同期ギヤと前記第２のラックとが噛み合うように構成されたものである。
【００２４】
さらに、同ディスク装置において、ディスク送りローラ軸を前記カムに設けたカム溝と係合させて前記カムの前記摺動によりディスク送りローラ軸を保持するローラレバーを回動させてディスク送りギヤとディスク送りローラ軸に固着されたギヤとの噛み合いが外れた後に前記ディスク送りローラ軸に固着された前記同期ギヤと前記ラックとが噛み合うように構成されたものである。
【００２５】
【発明の実施の形態】
この発明の適用実施例であるディスク装置を図面に基づいて説明する。図１（ａ）はこの発明の第１の実施例であるディスク装置を示す平面図、図１（ｂ）は同ディスク装置を示す左側面図、図２は同ディスク装置を示す右側面図である。
【００２６】
図に示すメインシャーシ１の両側に配置された右側面カム３および左側面カム４は連結部５で一体とされており、メインシャーシ１に摺動自在に支持されている。
【００２７】
右側面カム３に設けられたラック３ｂは駆動ギヤ１５と噛み合い可能であり、駆動ギヤ１５の回転により右側面カム３が送られ、負荷の小さいストロークの初期には左側面カム４が右側面カム３により連結部５を介して送られる。
【００２８】
メインシャーシ１に設けられた軸１ａ、１ａに回動自在に支持されたローラレバー２はディスク送りローラ軸６を回転自在に支持している。ディスク送りローラ軸６にはディスク送りローラ７が嵌着されており、ディスク送りローラ７により光ディスクが筐体外と再生位置との間で送られる。
【００２９】
ディスク送りローラ軸６は右側面カム３に設けられたカム溝３ｄおよび左側面カム４に設けられたカム溝４ｂと係合しており、ローラレバー２は右側面カム３の移動により回動され、ディスク送りローラ７が光ディスクと接離する。
【００３０】
右側面カム３と左側面カム４が図示していないディスククランプ機構を駆動しまた、再生ユニットシャーシのロック・ロック解除動作を行う負荷の大きいときには、ディスク送りローラ軸６に固着された同期ギヤ８および９が夫々右側面カム３および左側面カム４に夫々固着されたラック３ａおよび４ａと噛み合い右側面カム３と左側面カム４との同期がとられる。
【００３１】
同期ギヤ８は太陽ギヤ１０、振り子レバー１１およびディスク送りギヤ１２よりなる駆動系により回転駆動されるが、ディスク送りギヤ１２の軸が右側面カム３のカム溝３ｃと係合しており、同期ギヤ８および９がラック３ａおよび４ａと噛み合みあうときには同期ギヤ８とディスク送りギヤ１２との噛み合いは外れている。その間の状態の変化は図２（ａ）〜（ｄ）に示されている。
【００３２】
なお、駆動ギヤ１５の回転により右側面カム３が送られるが、ディスク送りローラ７が光ディスクを再生位置に送っている間は駆動ギヤ１５は右側面カム３のラック３ｂと噛み合っていない。
【００３３】
右側面カム３のラック３ｂを駆動ギヤ１５との噛み合いに導く機構を説明すると、先ず、メインシャーシ１に立設された軸１ｂに回動自在に支持されたトリガーレバー１３に立設された軸１３ａが光ディスクに押されてトリガーレバー１３が時計方向に回動される。
【００３４】
すると、トリガーレバー１３に立設され、メインシャーシ１に摺動自在に支持されたトリガースライダ１４の穴１４ａを挿通する軸１３ｂはトリガースライダ１４を引張りコイルばね１４ｃの弾力に抗して左方向に移動させる。トリガースライダ１４が左方向に移動すると、トリガースライダ１４のラック１４ｄが駆動ギヤ１５と噛み合うようになる。
【００３５】
そして、トリガースライダ１４は駆動ギヤ１５によりさらに左方向に移動される。すると、トリガースライダー１４の溝１４ｂおよび右側面カム３の溝３ｃを夫々挿通する軸１６ａおよび１６ｂが立設されメインシャーシ１に回動自在に支持された連結レバー１６を介して右側面カム３が右方向に送られて右側面カム３のラック３ｂが駆動ギヤ１５と噛み合うようになる。
【００３６】
このように、ディスククランプ機構を駆動しまた、再生ユニットシャーシのロック・ロック解除動作を行う負荷の大きいときには、ディスク送りローラ軸６に固着された同期ギヤ８および９が夫々右側面カム３および左側面カム４に夫々固着されたラック３ａおよび４ａと噛み合い右側面カム３と左側面カム４との同期がとられ右側面カム３と左側面カム４とが正確に同期する。そして、同期のためにディスク送りローラ軸６を利用しているので追加の軸等を必要とせず部品点数、製造コストおよび必要スペースを削減することができる。
【００３７】
図３（ａ）はこの発明の第２の実施例であるディスク装置を示す平面図、図３（ｂ）は同ディスク装置を示す左側面図である。この例では左側面カム２０と右側面カム２１とは分離されており、一体となっていない。
【００３８】
しかしながら図示していないローラレバーに回転自在に支持されたディスク送りローラ軸６は右側面カム２１のカム溝２１ｂと係合し、図示していないが左側面カム２０の同様のカム溝とも係合している。
【００３９】
左側面カム２０は第１の実施例と同様に駆動され、ストロークの初期の段階では左側面カム２０がローラレバーを介して右側面カム２１を駆動する。ディスククランプ機構を駆動しまた、再生ユニットシャーシのロック・ロック解除動作を行う負荷の大きいときには、ディスク送りローラ軸６に固着された同期ギヤ８および９が夫々左側面カム２０および右側面カム２１に夫々固着されたラック２０ａおよび２１ａと噛み合い左側面カム２０と右側面カム２１との同期がとられ左側面カム２０と右側面カム２１とが正確に同期する。
【００４０】
図４（ａ）はこの発明の第３の実施例であるディスク装置を示す平面図、図４（ｂ）は同ディスク装置を示す右側面図、図４（ｃ）は同ディスク装置を示す左側面図である。
【００４１】
この例では第１の実施例と同様にメインシャーシ（図４では図示していない）の両側に配置された右側面カム３および左側面カム４は連結部５で一体とされており、メインシャーシに摺動自在に支持されている。右側面カム３は第１の実施例と同様にメインシャーシに設けられた駆動機構により送られる。
【００４２】
メインシャーシに回動自在に支持された図示していないローラレバーはディスク送りローラ軸６を回転自在に支持している。ディスク送りローラ軸６にはディスク送りローラ７が嵌着されており、ディスク送りローラ７により光ディスクが筐体外と再生位置との間で送られる。
【００４３】
ディスク送りローラ軸６は右側面カム３に設けられたカム溝３ｄおよび左側面カム４に設けられたカム溝４ｂと係合しており、ローラレバーは右側面カム３の移動により回動され、ディスク送りローラ７が光ディスクと接離する。
【００４４】
ディスク送りローラ軸６に固着されたローラ軸ギヤ１７はディスク送りギヤ１８と噛み合っており、ディスク送りローラ軸６はディスク送りギヤ１８により回転駆動される。
【００４５】
しかしながら、右側面カム３が後方に（図４における右方向）に送られるとローラレバーが回動されローラ軸ギヤ１７とディスク送りギヤ１８との噛み合いが外れる。そして、右側面カム３と左側面カム４がディスククランプ機構を駆動しまた、再生ユニットシャーシのロック・ロック解除動作を行う負荷の大きいときには、ディスク送りローラ軸６に固着された同期ギヤ８および９が夫々右側面カム３および左側面カム４に夫々固着されたラック３ａおよび４ａと噛み合い右側面カム３と左側面カム４との同期がとられ右側面カム３と左側面カム４とが正確に同期する。
【００４６】
【発明の効果】
この発明のディスク装置によれば、従来例で見られたドライブシャフトや同期アーム等をメインシャーシの全幅に渡り配置することなく、すなわち、必要スペースを小さくし、また、ローラレバーの剛性を特に強くすることなく、右側面カムと左側面カムを正確に同期させることができる。
【００４７】
従って、ローラレバーを薄型として装置をコンパクトに構成することができる。また、ローラレバーによりカムを駆動するのではないためカムのストロークを大きくすることができる。
【図面の簡単な説明】
【図１】図１（ａ）はこの発明の第１の実施例であるディスク装置を示す平面図、図１（ｂ）は同ディスク装置を示す左側面図である。
【図２】図２（ａ）は同ディスク装置を示す右側面図、図２（ｂ）は同ディスク装置の他の状態を示す右側面図、図２（ｃ）は同ディスク装置のさらに他の状態を示す右側面図、図２（ｄ）は同ディスク装置のさらに他の状態を示す右側面図である。
【図３】図３（ａ）はこの発明の第２の実施例であるディスク装置を示す平面図、図３（ｂ）は同ディスク装置を示す右側面図である。
【図４】図４（ａ）はこの発明の第３の実施例であるディスク装置を示す平面図、図４（ｂ）は同ディスク装置を示す左側面図、図４（ｃ）は同ディスク装置を示す右側面図である。
【図５】図５（ａ）は従来のディスク装置の例を示す平面図、図５（ｂ）は同ディスク装置を示す右側面図、図５（ｃ）は同ディスク装置を示す左側面図である。
【図６】図６（ａ）は従来のディスク装置の他の例を示す平面図、図６（ｂ）は同ディスク装置を示す右側面図、図６（ｃ）は同ディスク装置を示す左側面図である。
【図７】従来のディスク装置のさらに他の例を示す平面図である。
【図８】従来のディスク装置のさらに他の例を示す平面図である。
【図９】従来のディスク装置のさらに他の例を示す平面図である。
【符号の説明】
１  メインシャーシ、１ａ、１ｂ、１ｃ  軸
２  ローラレバー
３  右側面カム、３ａ、３ｂ  ラック、３ｃ  溝
４  左側面カム、４ａ  ラック、４ｂ  カム溝
５  連結部、５ｂ  ラック
６  ディスク送りローラ軸
７  ディスク送りローラ
８  同期ギヤ
９  同期ギヤ
１０  太陽ギヤ
１１  振り子レバー
１２  ディスク送りギヤ
１３  トリガーレバー、１３ａ、１３ｂ  軸
１４  トリガースライダー、１４ａ  穴、１４ｂ  溝
１４ｃ  引張りコイルばね、１４ｄ  ラック
１５  駆動ギヤ
１６  連結レバー、１６ａ、１６ｂ  軸
１７  ローラ軸ギヤ
１８  ディスク送りギヤ
２０  左側面カム、２０ａ、２０ｂ  ラック、２０ｃ  カム溝、２０ｄ  軸
２１  右側面カム、２１ａ  ラック、２１ｂ  カム溝、２１ｃ  軸
２１ｄ  軸
３０  左側面カム、３０ａ  ラック
３１  右側面カム、３１ａ、３１ｂ  ラック
３２  駆動ギヤ
３３  ドライブシャフト、３３ａ、３３ｂ  同期ギヤ
３４  同期アーム、３４ａ  部分ギヤ、３４ｂ、３４ｃ  長穴
【図１】
0003746187.tif 000002
【図２】
0003746187.tif 000003
【図３】
0003746187.tif 000004
【図４】
0003746187.tif 000005
【図５】
0003746187.tif 000006
【図６】
0003746187.tif 000007
【図７】
0003746187.tif 000008
【図８】
0003746187.tif 000009
【図９】
0003746187.tif 000010